(57)【特許請求の範囲】
【請求項１】
騒音源から発せられた騒音の拡散を抑える防音パネルであって、
前記騒音源に正面側が面する、弾性材料から形成された吸音部と、
前記吸音部の背面側に配置される背壁部を有し、前記吸音部の正面側を露出させた状態で前記吸音部を収容しており、前記騒音源の側に常に開口した収容部と、
前記収容部の上部に設けられ、前記吸音部の上部を支持する上部支持部と、
前記収容部の下部に設けられ、前記吸音部の下部を支持する下部支持部と、
前記収容部の側部に設けられた側壁部と、
を備え、
前記吸音部は、前記収容部の前記騒音源の側から交換可能であることを特徴とする防音パネル。
【請求項２】
前記側壁部の正面側を覆う被覆部を備えることを特徴とする請求項１に記載の防音パネル。
【請求項３】
前記上部支持部から前記下部支持部にわたって架け渡された桟部を備えることを特徴とする請求項１又は２に記載の防音パネル。
【請求項４】
前記桟部は、前記吸音部の左右方向に沿って移動自在であることを特徴とする請求項３に記載の防音パネル。
【請求項５】
前記下部支持部は、前記収容部と連結されており、
前記下部支持部における前記収容部との連結箇所は、閉構造とされた空間内にあることを特徴とする請求項１から４までのいずれか一項に記載の防音パネル。
【請求項６】
前記上部支持部の上面側と前記下部支持部の下面側とが嵌合自在であることを特徴とする請求項１から５までのいずれか一項に記載の防音パネル。
【請求項７】
前記上部支持部と前記下部支持部とは、前記吸音部の厚さ方向に沿った長さが等しいことを特徴とする請求項６に記載の防音パネル。
【請求項８】
前記上部支持部は、
前記吸音部の正面側から当接する第１の当接部と、
前記吸音部の背面側から当接する第２の当接部と、
を備えることを特徴とする請求項１から７までのいずれか一項に記載の防音パネル。
【請求項９】
前記下部支持部は、
前記吸音部の正面側から当接する第１の当接部と、
前記吸音部の背面側から当接する第２の当接部と、
を備えることを特徴とする請求項１から８までのいずれか一項に記載の防音パネル。
【請求項１０】
前記上部支持部の前記第１の当接部と前記第２の当接部との間隔及び前記下部支持部の前記第１の当接部と前記第２の当接部との間隔は、前記吸音部の厚さ以下であることを特徴とする請求項８を引用する請求項９に記載の防音パネル。
【請求項１１】
前記吸音部の背面側に、前記吸音部を支持する背面支持部を備えることを特徴とする請求項１から１０までのいずれか１項に記載の防音パネル。
【請求項１２】
前記背面支持部は、前記上部支持部から前記下部支持部にわたって架け渡されていることを特徴とする請求項１１に記載の防音パネル。
【請求項１３】
前記背面支持部は、前記収容部の前記上部支持部及び前記下部支持部の少なくとも一方に連結されていることを特徴とする請求項１１に記載の防音パネル。
【請求項１４】
前記背面支持部は、前記収容部の左右方向に沿って延在していることを特徴とする請求項１３に記載の防音パネル。
【請求項１５】
前記背面支持部は、前記背壁部によって形成されていることを特徴とする請求項１１から１４までのいずれか１項に記載の防音パネル。
【請求項１６】
前記背面支持部は、前記背壁部に設けられていることを特徴とする請求項１１に記載の防音パネル。
【請求項１７】
前記背面支持部は、前記上部支持部及び前記下部支持部によって形成されていることを特徴とする請求項１１に記載の防音パネル。
【請求項１８】
請求項１から１７までのいずれか一項に記載の防音パネルを支柱間に設けたことを特徴とする防音壁。
【発明の詳細な説明】
【技術分野】
【０００１】
本発明は、防音パネル及び防音壁に関する。
【背景技術】
【０００２】
道路や線路を走行する車両や工場等の騒音源から発せられる騒音の拡散を抑えるために、騒音源の脇に防音壁が設置されている。
防音壁は、例えば、Ｈ形鋼等からなる支柱間に、複数枚の防音パネルを嵌め込んで積み重ねることにより構築される。
防音パネルは、正面板、背面板及び側面板を、縦断面形状が平行四辺形となるように組み合わせて箱状に形成し、背面板から正面板に向かうにつれて上り傾斜を有するパネル本体内の空間に吸音材が収容されている。防音パネルは、騒音源に面する正面板にルーバーを形成することにより、パネル本体内に伝達された騒音を吸音材で吸収することができるようになっている（例えば、特許文献１参照）。
【先行技術文献】
【特許文献】
【０００３】
【特許文献１】特開２０１３−１２４４８３号公報
【発明の概要】
【発明が解決しようとする課題】
【０００４】
しかし、紫外線や夏場の高温、雨水等に晒されることで、正面板が劣化、腐食してしまうおそれがある。また、劣化、腐食によって、見映えも悪くなってしまう。
このような場合において、劣化した正面板を交換しようとしても、防音パネルは支柱に嵌め込まれているため、交換作業に手間がかかる。特に、下段の防音パネルを交換する際には、上段の防音パネルの全てを一旦取り外す必要があり、交換作業に時間がかかってしまう。
【０００５】
そこで、本発明は、上記課題に鑑みてなされたものであり、手間のかかる正面板の交換作業を省くことができ、見映えの悪化を抑えることができる防音パネルを提供することを目的とする。
【課題を解決するための手段】
【０００６】
上記課題を解決するため、本発明は、騒音源から発せられた騒音の拡散を抑える防音パネルであって、前記騒音源に正面側が面する吸音部と、前記吸音部の背面側に配置される背壁部を有し、前記吸音部の正面側を露出させた状態で前記吸音部を収容する収容部と、前記収容部の上部に設けられ、前記吸音部の上部を支持する上部支持部と、前記収容部の下部に設けられ、前記吸音部の下部を支持する下部支持部と、前記収容部の側部に設けられた側壁部と、を備えることを特徴とする。
【０００７】
また、前記側壁部の正面側を覆う被覆部を備えることが好ましい。
【０００８】
また、前記上部支持部から前記下部支持部にわたって架け渡された桟部を備えることが好ましい。
【０００９】
また、前記桟部は、前記吸音部の左右方向に沿って移動自在であることが好ましい。
【００１０】
また、前記下部支持部は、前記収容部と連結されており、前記下部支持部における前記収容部との連結箇所は、閉構造とされた空間内にあることが好ましい。
【００１１】
また、前記上部支持部の上面側と前記下部支持部の下面側とが嵌合自在であることが好ましい。
【００１２】
また、前記上部支持部と前記下部支持部とは、前記吸音部の厚さ方向に沿った長さが等しいことが好ましい。
【００１３】
また、前記上部支持部は、前記吸音部の正面側から当接する第１の当接部と、前記吸音部の背面側から当接する第２の当接部と、を備えることが好ましい。
【００１４】
また、前記下部支持部は、前記吸音部の正面側から当接する第１の当接部と、前記吸音部の背面側から当接する第２の当接部と、を備えることが好ましい。
【００１５】
また、前記吸音部は、弾性材料から形成されており、前記第１の当接部と前記第２の当接部との間隔は、前記吸音部の厚さ以下であることが好ましい。
【００１６】
また、前記吸音部の背面側に、前記吸音部を支持する背面支持部を備えることが好ましい。
【００１７】
また、前記背面支持部は、前記上部支持部から前記下部支持部にわたって架け渡されていることが好ましい。
【００１８】
また、前記背面支持部は、前記収容部の前記上部支持部及び前記下部支持部の少なくとも一方に連結されていることが好ましい。
【００１９】
また、前記背面支持部は、前記収容部の左右方向に沿って延在していることが好ましい。
【００２０】
また、前記背面支持部は、前記背壁部によって形成されていることが好ましい。
【００２１】
また、前記背面支持部は、前記背壁部に設けられていることが好ましい。
【００２２】
また、前記背面支持部は、前記上部支持部及び前記下部支持部によって形成されていることが好ましい。
【００２３】
本発明は、防音壁であって、前記防音パネルを支柱間に設けたことを特徴とする。
【発明の効果】
【００２４】
本発明によれば、手間のかかる正面板の交換作業を省くことができ、防音パネルの見映えの悪化を抑えることができる。
【図面の簡単な説明】
【００２５】
【図１】防音パネルの正面図である。
【図２】図１におけるＩＩ−ＩＩ側面図である。
【図３】図１におけるＩＩＩ−ＩＩＩ断面図である。
【図４】図１におけるＩＶ−ＩＶ断面図である。
【図５】防音パネルから吸音材を除いた状態を示す斜視図である。
【図６】上枠の断面図である。
【図７】下枠の断面図である。
【図８】側壁部近傍の構成を示す図である。
【図９】縦枠の断面図である。
【図１０】中桟の断面図である。
【図１１】吸音材を除いた防音パネルの正面図である。
【図１２】支持材の構成を示す図である。
【図１３】図１１におけるＸＩＩＩ−ＸＩＩＩ断面図である。
【図１４】吸音材を除いた別の防音パネルの正面図である。
【図１５】別の支持材の構成を示す図である。
【図１６】図１４におけるＸＩＶ−ＸＩＶ断面図である。
【図１７】防音パネルに水がかかったときの作用効果を説明する図である。
【発明を実施するための形態】
【００２６】
本発明の好ましい実施形態について、図面を参照しながら説明する。なお、以下に示す実施形態は一つの例示であり、本発明の範囲において、種々の実施形態をとり得る。
【００２７】
［第１の実施の形態］
＜防音パネルの構成＞
最初に、防音パネルの構成について説明する。
図１から図５に示すように、防音パネル１００は、道路や線路上を走行する車両や工場等の騒音源からの騒音の拡散を抑えるために用いられるものであり、騒音源の脇に設置される。
防音パネル１００は、吸音材１（吸音部）と、収容部２と、上枠３（上部支持部）と、下枠４（下部支持部）と、側壁部５と、縦枠６（被覆部）と、中桟７（桟部）と、支持材８（背面支持部）とを備えている。
【００２８】
（吸音材）
図１から図４に示すように、吸音材１は、防音パネル１００のユニットの大きさに合わせて、例えば、平面視矩形状に形成された板状の部材である。吸音材１は、正面側が騒音源に面するように配置される。吸音材１は、例えば、ポリエステル繊維から形成されており、弾性変形可能である。吸音材１の正面には、吸音材１を保護する保護材１１が設けられている。保護材１１は、例えば、ポリエステルの特殊撥水クロスから形成されており、耐候性（耐水、耐熱、耐紫外線）に優れ、吸音材１の劣化を抑制する。
【００２９】
（収容部）
図１から図５に示すように、収容部２は、吸音材１を収容するものであり、断面視略コ字状に形成された板状の部材である。収容部２は、例えば、合金めっき鋼板から形成されている。
収容部２は、防音パネル１００の一部として騒音源の脇に設置した際に、吸音材１の背面側（騒音源とは反対側の面）に配置される背壁部２１と、背壁部２１の上端部から吸音材１に向けて斜め上方に延出する上部延出部２２と、背壁部２１の下端部から吸音材１に向けて斜め上方に延出する下部延出部２３と、を備えている。
背壁部２１は、吸音材１の背面に沿って延びている。背壁部２１は、吸音材１の背面に沿って延在する主面部２１ａと、中央部付近において吸音材１に向けて近づくように屈曲形成されている屈曲部２１ｂと、を有する。
上部延出部２２は、その先端部が下方に向けて折り曲げられており、吸音材１の正面の面方向に対してほぼ平行に延びている。
下部延出部２３は、その先端部が下方に向けて折り曲げられており、吸音材１の正面の面方向に対してほぼ平行に延びている。
ここで、上部延出部２２と下部延出部２３とは、その延出方向がほぼ平行となるように形成されている。また、下部延出部２３は、上部延出部２２よりも走行路側に突出するように形成されている。
このように、収容部２は、従来の防音パネルに備えられていた正面板を備えていない。そのため、吸音材１は、その正面側が外部に露出した状態で収容部２に収容される。
【００３０】
（上枠）
図１から図６に示すように、上枠３は、収容部２に収容された吸音材１の上端部を支持するものである。上枠３は、例えば、アルミニウム又はアルミニウム合金から形成されている。上枠３は、吸音材１を支持する支持部３１と、収容部２に嵌め込まれる嵌合部３２と、を備えている。
【００３１】
支持部３１は、吸音材１の正面側から当接する第１の当接部３１ａと、吸音材１の背面側から当接する第２の当接部３１ｂと、第１の当接部３１ａと第２の当接部３１ｂとを連結し、吸音材１の上端面に対向する連結部３１ｃと、第１の当接部３１ａに連続し、騒音源側に張り出した張出部３１ｄと、を備えており、これらは一体に形成されている。
第１の当接部３１ａは、防音パネル１００の上下方向、すなわち、吸音材１の上下方向（面方向）に沿って直線状に延びるように形成されており、その下端部（先端部）は、支持される吸音材１の正面に向けて若干突出している。
第２の当接部３１ｂは、防音パネル１００の上下方向、すなわち、吸音材１の上下方向（面方向）に沿って直線状に延びるように形成されている。すなわち、第２の当接部３１ｂは、第１の当接部３１ａとほぼ平行に延びている。第２の当接部３１ｂは、その先端部が第１の当接部３１ａの先端部よりも下方に位置するように形成されている。
連結部３１ｃは、防音パネルの厚さ方向、すなわち、吸音材１の厚さ方向に沿って延びるように形成されており、第１の当接部３１ａに突き当たる直前で下方に向けて屈曲し、さらに、その途中で吸音材１の厚さ方向に沿って第１の当接部３１ａに向けて屈曲するように形成されている。これにより、連結部３１ｃにおける第１の当接部３１ａ側の端部には、上方に開口する凹部３２ｂが形成されている。連結部３１ｃは、吸音材１の正面側の端部で第１の当接部３１ａに連続しており、吸音材１の背面側の端部で第２の当接部３１ｂに連続している。連結部３１ｃは、第１の当接部３１ａの内面と第２の当接部３１ｂの内面との間隔が吸音材１の厚さ以下となるような長さに形成されている。
張出部３１ｄは、第１の当接部３１ａの上端及び下端に連続しており、騒音源側に張り出している。これにより、第１の当接部３１ａと張出部３１ｄとで閉構造を形成している。
【００３２】
嵌合部３２は、上部延出部２２に係合する係合部３２ａと、上部延出部２２と上枠３との係合が外れることを防止する凹部３２ｂとを備えており、これらは支持部３１と共に一体に形成されている。
係合部３２ａは、支持部３１の第１の当接部３１ａの上端から連続して上方に向けて延び、その途中で支持部３１の第２の当接部３１ｂ側に向けて折り返すように形成されている。係合部３２ａは、途中までは第１の当接部３１ａと同一直線上に延び、先端部は、防音パネル１００の背面側に向けて斜め下方に延びている。係合部３２ａの先端部の下り傾斜は、上部延出部２２の先端部の上り傾斜とほぼ同じ勾配である。
凹部３２ｂは、吸音材１の幅方向に沿った幅（開口幅）が、少なくとも上部延出部２２を嵌め込むことができるような幅を有するように形成されている。また、凹部３２ｂは、防音パネル１００の上下方向に沿った深さが、上部延出部２２を係止するのに十分な深さを有するように形成されている。
このように、上枠３を上部延出部２２に嵌め込むと、上部延出部２２の先端部は、上枠３の係合部３２ａの内面に沿って当接するとともに、凹部３２ｂによって移動が規制されるため、外れることなくしっかりと嵌め込むことができる。
【００３３】
（下枠）
図１から図５、図７に示すように、下枠４は、収容部２に収容された吸音材１の下端部を支持するものである。下枠４は、例えば、アルミニウム又はアルミニウム合金から形成されている。下枠４は、吸音材１を支持する支持部４１と、収容部２に嵌め込まれる嵌合部４２と、を備えている。
【００３４】
支持部４１は、吸音材１の正面側から当接する第１の当接部４１ａと、吸音材１の背面側から当接する第２の当接部４１ｂと、第１の当接部４１ａと第２の当接部４１ｂとを連結し、吸音材１の下端面に対向する連結部４１ｃと、第１の当接部４１ａに連続し、騒音源側に張り出した第１の張出部４１ｄと、連結部４１ｃの内面から内側（上方）に向けて張り出した第２の張出部４１ｅとを備えており、これらは一体に形成されている。
第１の当接部４１ａは、防音パネル１００の上下方向、すなわち、吸音材１の上下方向（面方向）に沿って直線状に延びるように形成されており、その上端部（先端部）は、支持される吸音材１の正面に向けて若干突出している。
第２の当接部４１ｂは、防音パネル１００の上下方向、すなわち、吸音材１の上下方向（面方向）に沿って延びるように形成されており、その途中で第１の当接部４１ａ側に向けて屈曲し、さらに防音パネル１００の上方向に向けて屈曲するように形成されている。第２の当接部４１ｂは、その先端部が第１の当接部４１ａの先端部よりも上方に位置するように形成されている。
連結部４１ｃは、第２の当接部４１ｂから第１の当接部４１ａに向かうにつれて上方に傾斜するように形成されている。連結部４１ｃは、吸音材１の正面側で第１の当接部４１ａに連続しており、吸音材１の背面側で第２の当接部４１ｂに連続している。連結部４１ｃは、第１の当接部４１ａの内面と第２の当接部４１ｂの内面との間隔が吸音材１の厚さ以下となるような長さに形成されている。連結部４１ｃの上り傾斜は、下部延出部２３の上り傾斜とほぼ同じ勾配である。
第１の張出部４１ｄは、第１の当接部４１ａの上端及び連結部４１ｃの正面側の端部に連続しており、騒音源側に張り出しており、その上部が第１の当接部４１ａに向けて滑らかに湾曲するように形成されている。これにより、第１の当接部４１ａと第１の張出部４１ｄとで閉構造を形成している。
第２の張出部４１ｅは、第２の当接部４１ｂ及び連結部４１ｃに連続しており、収容される吸音材１側（上方）に張り出している。これにより、第２の当接部４１ｂと連結部４１ｃと第２の張出部４１ｅとで閉構造を形成している。
【００３５】
嵌合部４２は、下部延出部２３に係合する係合部４２ａと、下部延出部２３と下枠４との係合が外れることを防止する爪部４２ｂとを備えており、これらは支持部４１と共に一体に形成されている。
係合部４２ａは、支持部４１の第１の張出部４１ｄから連続して下方に向けて延びるように形成されている。係合部４２ａは、第１の当接部４１ａ及び第２の当接部４１ｂと平行に延びている。すなわち、下部延出部２３は、係合部４２ａの内面と、連結部４１ｃの下面に当接することで、下枠４に係合する。
爪部４２ｂは、係合部４２ａの先端部（下端部）から上方に向かって折り返すように折り曲げられて形成されている。爪部４２ｂは、係合部４２ａから下部延出部２３の厚さに相当する間隔をあけて係合部４２ａよりも防音パネル１００の背面側に設けられている。
このように、下枠４を下部延出部２３に嵌め込むと、下部延出部２３の先端部は、下枠４の係合部４２ａの内面に沿って当接するとともに、爪部４２ｂによって移動が規制されるため、外れることなくしっかりと嵌め込むことができる。
また、下部延出部２３と下枠４は、リベットＬで連結されている（図２参照）。リベットＬは、外側に位置する下部延出部２３から差し込まれており、その先端が第２の当接部４１ｂと連結部４１ｃと第２の張出部４１ｅとで形成された閉構造空間内に向けて挿通されている。リベットＬは、例えば、ステンレスから形成されている。
また、上枠３の上面側に位置する嵌合部３２は、下枠４の下面側に位置する嵌合部４２に嵌合自在とされている。すなわち、上枠３に下枠４を積み重ねることができるように、上枠３及び下枠４が形成されている。さらに、上枠３と下枠４とは、吸音材１の厚さ方向に沿った長さが等しくなるように形成されており、積み重ねた際に、上枠３及び下枠４の正面及び裏面がほぼ面一となる。これにより、上枠３及び下枠４によって支持される吸音材１も、積み重ねた際に正面及び背面がほぼ面一となる。よって、複数の防音パネル１００を上下方向（高さ方向）に積み重ねて防音壁として用いることができる。
【００３６】
（側壁部）
図８に示すように、側壁部５は、収容部２の両側にそれぞれ設けられている。側壁部５は、横断面視コ字状に形成された板状の部材である。側壁部５は、例えば、合金めっき鋼板から形成されている。
側壁部５は、短手方向（吸音材１の厚さ方向）一端部が背壁部２１にリベットＬ２を用いて連結されており、他端部が縦枠６にリベットＬ３を用いて連結されている。これにより、防音パネル１００における左右方向両端部は、側壁部５で覆われ、吸音材１が離脱できないようになっている。
【００３７】
（縦枠）
図９に示すように、縦枠６は、防音パネル１００の正面側に露出する側壁部５の正面側を被覆するものであり、側壁部５が見えることによる見映えの悪化を防止する化粧材として用いられる。縦枠６は、例えば、アルミニウム又はアルミニウム合金から形成されている。縦枠６は、化粧部６１と、係止部６２とを備えている。
化粧部６１は、側壁部５の正面を覆うものであり、側壁部５に連結した状態において、側壁部５の正面に沿って直線状に延びている。化粧部６１は、その一端部近傍でリベットＬ３により側壁部５と連結されている。化粧部６１の正面における側壁部５との連結領域には、シール材Ｓが貼り付けられている。シール材Ｓは、例えば、５倍に発泡されたクロロプレンゴムから形成されている。
係止部６２は、化粧部６１に連続して一体に形成されており、側壁部５が折り曲げられている位置で化粧部６１の延在方向に対してほぼ直角をなす方向に折り曲げられており、さらに途中でほぼ直角に折り曲げられて上枠３及び下枠４の背面側に沿うように延びている。
【００３８】
（中桟）
図１に示すように、中桟７は、上枠３から下枠４にわたって延在している。図８に示すように、中桟７は、収容部２内に収容される複数の吸音材１の継ぎ目に配置されるものであり、吸音材１の継ぎ目を覆い隠すものである。
図１０に示すように、中桟７は、吸音材１の正面側に配置される正面部７１と、吸音材１の背面側に配置される背面部７２と、正面部７１と背面部７２とを連結する連結部７３と、を備えている。
正面部７１は、防音パネル１００の上下方向に沿って延在する帯状の部材であり、表面が盛り上がるような曲面状に形成されている。正面部７１の裏面は平面状に形成されており、吸音材１の正面に対向する。正面部７１の幅は、少なくとも隣接する吸音材１間の間隔よりも大きくなるように形成されている。
背面部７２は、防音パネル１００の上下方向に沿って延在する帯状の部材であり、表面及び裏面共に平面状に形成されている。背面部７２は、正面部７１側の面が吸音材１の背面に対向する。背面部７２の幅は、少なくとも隣接する吸音材１間の間隔よりも大きくなるように形成されており、正面部７１の幅よりも大きな幅を有するように形成されている。
連結部７３は、板状に形成されており、正面部７１及び背面部７２と一体に形成されている。連結部７３は、隣接する吸音材１間の隙間に挿入されており、各吸音材１の一端面に対向する。連結部７３は、正面部７１及び背面部７２における幅方向のほぼ中央となる位置において正面部７１及び背面部７２にそれぞれ連結されており、正面部７１及び背面部７２の連結部７３からの左右方向への突出量がほぼ等しくなっている。
中桟７は、上端部が上枠３に固定され、下端部が下枠４に固定されている。
【００３９】
（支持材）
図１１から図１３に示す支持材８は、吸音材１が収容部２内部に向かって押し込まれないように、吸音材１をその背面から支える板状の部材である。より具体的には、支持材８は、例えば横断面視コ字状に形成された部材である。支持材８は、例えば、アルミニウム又はアルミニウム合金から形成されている。
図１２に示すように、支持材８は、防音パネル１００の厚さ方向、すなわち、吸音材１の厚さ方向において、吸音材１と収容部２の背壁部２１との間に設けられている。支持材８は、また、図１１に示すように、防音パネル１００の上下方向、すなわち、吸音材１の上下方向において、上枠３から下枠４にわたって架け渡されている。
支持材８は、防音パネル１００の左右方向における両端部と中桟７との間にそれぞれ設けられる。
支持材８は、コ字状に形成された屈曲板部分８１と、平板部分８２とを有している。具体的には、支持材８は、防音パネル１００の上下方向において、上側から屈曲板部分８１、平板部分８２、次いで屈曲板部分８１の順に連なっている。つまり、支持材８は、２つの屈曲板部分８１と、２つの屈曲板部分８１の間で延びる平板部分８２とを有する。
図１２に示すように、支持材８は、屈曲板部分８１が、防音パネル１００の外部に向かって、言い換えれば背壁部２１に向かって開口しているように、上枠３及び下枠４に取り付けられている。
図１３に示すように、支持材８は、上側の屈曲板部分８１の上端部が上枠３の第２の当接部３１ｂにリベットＬ４で連結されており、下側の屈曲板部分８１の下端部が下枠４の第２の当接部４１ｂにリベットＬ５で連結されている。屈曲板部分８１は、上枠３及び下枠４との連結箇所から、背壁部２１の主面部２１ａとほぼ平行に、背壁部２１の屈曲部２１ｂと接触する手前まで延在している。
支持材８の平板部分８２は、上側及び下側の屈曲板部分８１の間で、背壁部２１の屈曲部２１ｂに対向した位置にある。なお、支持材８が設けられていない箇所においては、吸音材１は、その背面から背壁部２１の屈曲部２１ｂによって支持されていてもよい（図３参照）。
【００４０】
＜防音パネル及び防音壁の施工方法、吸音材の交換方法＞
防音パネル１００を設置する際には、収容部２に上枠３、下枠４、側壁部５、縦枠６、中桟７を取り付け、上枠３から下枠４に支持材８を架け渡して、収容部２の正面の開口から収容部２内に吸音材１を収容する。収容の際には、吸音材１の上端部を弾性変形させて縮め、上枠３の第１の当接部３１ａと第２の当接部３１ｂとの間に差し込み、吸音材１の復元力で上枠３に支持させる。同様に、吸音材１の下端部を弾性変形させて縮め、下枠４の第１の当接部４１ａと第２の当接部４１ｂとの間に差し込み、吸音材１の復元力で下枠４に支持させる。この状態において、吸音材１の背面は支持材８に当接している。
これによって、防音パネル１００が完成する。防音パネル１００は、騒音源の脇に所定間隔で設置された支柱間に嵌め込まれ、防音パネル１００を数段積み重ねることで防音壁が完成する。
なお、長期間の使用により、吸音材１が破損、劣化してきた場合には、吸音材１を弾性変形させて上枠３及び下枠４から取り外し、新しい吸音材１と交換する。
また、支持材８は、図１１においては、防音パネル１００の左右方向における両端部と、中桟７との間にそれぞれ１つずつ設けられているが、支持材８の設置個数は適宜選択することができ、２つ以上設けることもできる。
【００４１】
＜防音パネルの効果＞
以上のような構成を有する防音パネル１００は、従来の防音パネルのように正面壁を有していないため、図１７に示すように、雨水、紫外線等を吸音材１で直接受けることになる。しかし、吸音材１の表面には、保護材１１が設けられているため、保護材１１が耐候性を発揮し、水や紫外線等から吸音材１を保護する。従って、正面壁がなくても防音パネルとして十分な機能を発揮することができる。また、吸音材１が破損、劣化して交換する際には、正面壁を取り外すような作業も必要ないため、防音パネル１００を現場に設置した状態のまま交換作業を行うことができる。
また、上枠３と下枠４とで吸音材１を支持することができるので、簡易な構造で吸音材１を支持することができる。ここで、各枠３，４における第１の当接部３１ａ，４１ａと第２の当接部３１ｂ，４１ｂとの間隔は吸音材１の厚さ以下とされているため、吸音材１を弾性変形させた状態で支持することになる。これにより、吸音材１の復元力を利用して吸音材１を各枠３，４に支持させることができる。
また、収容部２の下部延出部２３と下枠４とを連結するリベットＬは、第２の当接部４１ｂと連結部４１ｃと第２の張出部４１ｅとによって形成される閉構造の空間内に向けて挿通されているため、仮に、第１の当接部４１ａと吸音材１との隙間から水が浸入したとしても、リベットＬに水がかかることはない。これにより、リベットＬの腐食を防止することができ、収容部２と下枠４との長期間にわたる強固な連結を実現できる。
また、上枠３と下枠４とが嵌合自在に構成されているため、上枠３及び下枠４を備えた防音パネル１００をそのまま積み重ねることができる。これにより、防音パネル１００を積み重ねて防音壁を構築する際の施工性が向上する。このとき、上枠３と下枠４の厚さ方向（吸音材１の厚さ方向と同じ）に沿った長さが等しく形成されているので、防音パネル１００を積み重ねた際に正面及び背面がほぼ面一の状態となるため、防音壁の見映えを向上することができる。
また、縦枠６は側壁部５の正面側を覆うので、合金めっき鋼板の表面が防音パネル１００の正面に露出することがなくなり、見映えを向上することができる。
また、中桟７が設けられることで、収容部２に収容された複数の吸音材１の継ぎ目を隠すことができ、防音パネル１００の美観を向上することができる。また、中桟７により、吸音材１の一端を支持して吸音材１の正面側への落下を防止することができる。
また、支持材８が、特に上枠３と下枠４との間にわたって架け渡されて、吸音材１をその背面側から支持しているので、防音パネル１００の正面側からの衝撃により防音材１が防音パネル１００の内側に押し込まれることを、防音パネル１００の上下方向にわたって抑制することができる。さらに、支持材８が設けられていない箇所においては、背壁部２１の屈曲部２１ｂが吸音材１の背面に当接して、吸音材１の支持機能を担っている。これにより防音パネル１００の左右方向に沿っても、吸音材１の防音パネル１００の内側への押し込みを抑制することができる。
【００４２】
［第２の実施の形態］
次に、図１４から図１６を用いて、防音パネルの第２の実施の形態について説明する。以下では、第２の実施の形態が第１の実施の形態と異なる点、特に支持材８Ａについて説明し、第１の実施の形態と同じ構成については、同一符号を付して説明を省略する。
支持材８Ａは、吸音材１が収容部２内部に向かって押し込まれないように、吸音材１をその背面から支える板状の部材である。より具体的には、支持材８Ａは、例えば断面視Ｌ字状に形成された部材である。支持材８Ａは、例えば、アルミニウム又はアルミニウム合金から形成されている。
支持材８Ａは、上枠３及び下枠４に個別に取り付けられ、防音パネル１００Ａの左右方向に沿って延在しており、防音パネル１００Ａの厚さ方向、すなわち、吸音材１の厚さ方向において、吸音材１と収容部２の背壁部２１との間に設けられている。具体的には、支持材８Ａは、上枠３の第２の当接部３１ｂの複数箇所にリベットＬ６で、また、下枠４の第２の当接部４１ｂの複数箇所にリベットＬ７で、連結されている。
支持材８Ａは、防音パネル１００Ａの左右方向、すなわち、吸音材１の左右方向に沿って、防音パネル１００Ａの両端部と、防音パネル１００Ａの中央部、具体的には中桟７との間を延在している。
支持材８Ａは、防音材１の上下方向に沿って、防音材１の背面に部分的に直接当接して防音材１を支持する支持部８１Ａと、この支持部８１Ａの幅方向（防音パネルの上下方向）の一端が、背壁部２１に向かって折り曲げられている折曲げ部８２Ａとを有する。支持材８Ａの支持部８１Ａは、折曲げ部８２Ａを有する側とは反対側の端部で、上枠３及び下枠４にそれぞれ取り付けられている。折曲げ部８２Ａは、支持材８Ａ全体の剛性を高める。
上枠３に取り付けられた支持材８Ａと、下枠４に取り付けられた支持材８Ａとは、防音パネル１００Ａの上下方向において、屈曲部２１ｂを挟んで互いに離間されている。２つの支持材８Ａの間において背壁部２１側に露出している吸音材１の背面には、背壁部２１の屈曲部２１ｂが当接していてもよい。
なお、支持材８Ａは、上枠３及び下枠４の少なくとも一方にのみ設けられていてもよい。
【００４３】
＜防音パネル及び防音壁の施工方法、吸音材の交換方法＞
防音パネル１００Ａを設置する際には、収容部２に上枠３、下枠４、側壁部５、縦枠６、中桟７を取り付け、上枠３及び下枠４のそれぞれに支持材８Ａを取り付けて、収容部２の正面の開口から収容部２内に吸音材１を収容する。
その他、防音パネル１００Ａ及び防音壁の施工方法、吸音材１の交換方法については、第1の実施の形態と同様の方法であるので説明を省く。
【００４４】
＜防音パネルの効果＞
以上のような構成を有する防音パネル１００Ａは、第１の実施の形態と同様の効果を奏することに加え、支持材８Ａが、上枠３及び下枠４のそれぞれに取り付けられて、防音パネル１００Ａの左右方向に沿って延在しているので、防音パネル１００Ａの正面側からの衝撃により防音材１が防音パネル１００Ａの内側に押し込まれることを、防音パネル１００Ａの左右方向に沿って抑制することができる。
さらに、２つの支持材８Ａの間においては、背壁部２１の屈曲部２１ｂが吸音材１の背面に当接して、吸音材１の支持機能を担っている。これにより防音パネル１００Ａの上下方向及び左右方向において、吸音材１の防音パネル１００Ａの内側への押し込みを効果的に抑制することができる。
【００４５】
＜その他＞
なお、本発明は、上記実施形態に限られるものではなく、本発明の範囲を超えない範囲で適宜変更が可能である。例えば、防音パネルの各構成の形状は任意であり、上述した機能を有しているものであれば、自由に設計変更可能である。
例えば、上枠３から下枠４にわたって中桟を架け渡すように設け、この中桟を上枠３及び下枠４に対して着脱自在としてもよい。この場合、中桟は、長手方向両端部の正面側が切り欠かれており、この切り欠かれた部分が上枠３及び下枠４の背面側に係合されており、上枠３及び下枠４の長手方向に沿ってスライド移動自在に構成されている。
このような構成を採用することにより、中桟７は、上枠３及び下枠４の長手方向（吸音材１の左右方向）に沿ってスライド移動自在であるため、吸音材１を交換する際には、中桟７を縦枠６に向けてスライド移動させることで、防音パネル１００の正面全域を開放した状態にすることができる。
また、背壁部２１の屈曲部２１ｂを、防音パネルの上下方向において複数設けて、支持材８，８Ａの代わりとしてもよい。これにより、防音パネルの上下方向及び左右方向に沿って、吸音材１を支持することができる。また、支持材８，８Ａを背壁部２１に設けてもよい。
さらに、上枠３の第２の当接部３１ｂ及び下枠４の第２の当接部４１ｂをそれぞれ、防音パネルの上下方向に延長させ、支持材８，８Ａと上枠３の第２の当接部３１ｂ、支持材８，８Ａと下枠４の第２の当接部４１ｂを一体に形成してもよい。これにより、吸音材１を背面から支持するために別途部材及び締結具等を用意する必要がなくなるので、作業負担及び材料コストを軽減することができる。
【符号の説明】
【００４６】
１  吸音材（吸音部）
２  収容部
３  上枠（上部支持部）
４  下枠（下部支持部）
５  側壁部
６  縦枠（被覆部）
７  中桟（桟部）
８，８Ａ  支持材（背面支持部）
２１  背壁部
３１ａ  第１の当接部
３１ｂ  第２の当接部
４１ａ  第１の当接部
４１ｂ  第２の当接部
１００，１００Ａ  防音パネル
【図１】
0006710035.tif 000002
【図２】
0006710035.tif 000003
【図３】
0006710035.tif 000004
【図４】
0006710035.tif 000005
【図５】
0006710035.tif 000006
【図６】
0006710035.tif 000007
【図７】
0006710035.tif 000008
【図８】
0006710035.tif 000009
【図９】
0006710035.tif 000010
【図１０】
0006710035.tif 000011
【図１１】
0006710035.tif 000012
【図１２】
0006710035.tif 000013
【図１３】
0006710035.tif 000014
【図１４】
0006710035.tif 000015
【図１５】
0006710035.tif 000016
【図１６】
0006710035.tif 000017
【図１７】
0006710035.tif 000018